(57)【要約】【課題】強度の向上を図るのに有効で軽量で外観意匠性に優れたアンダーランプロテクタ用ビーム部材の提供を目的とする。【解決手段】トラックの車両フレームに取り付けるアンダーランプロテクタ用のビーム部材であって、ビーム部材のビーム本体部はアルミ押出材で製作された上下の横壁と前後の縦壁とからなる中空断面形状からなり、ビーム本体部の内側にナットを配置するための固定具を有し、車両フレーム側の取付部からボルトを挿通し、前記ナットに螺合することでビーム部材を車両フレームに取り付け、前記ビーム本体部の端部に端末カバー部材が取り付けられていることを特徴とする。【選択図】  図２
2015044572.tif 000002
【特許請求の範囲】
【請求項１】
トラックの車両フレームに取り付けるアンダーランプロテクタ用のビーム部材であって、
ビーム部材のビーム本体部はアルミ押出材で製作された上下の横壁と前後の縦壁とからなる中空断面形状からなり、
ビーム本体部の内側にナットを配置するための固定具を有し、
車両フレーム側の取付部からボルトを挿通し、前記ナットに螺合することでビーム部材を車両フレームに取り付け、前記ビーム本体部の端部に端末カバー部材が取り付けられていることを特徴とするビーム部材。
【請求項２】
前記固定具は当該固定具を取り付けた縦壁と対向する縦壁の内側に近接した突出部を有することを特徴とする請求項１記載のビーム部材。
【請求項３】
前記ビーム本体部の端部は下端部が斜めにカットされた略Ｌ字端面形状になっており、当該端部に略Ｌ字形状の端末カバー部材を取り付けたことを特徴とする請求項１又は２に記載のビーム部材。
【請求項４】
前記ビーム本体部の上面部に滑り止め手段を設けたことを特徴とする請求項１〜３のいずれかに記載のビーム部材。
【請求項５】
前記ビーム本体部の上下面の一方は滑り止めの凹凸部を形成してあり、他方の面は平滑面に滑り止めテープを貼り付けることが可能になっており、上下反転自在に使用可能になっていることを特徴とする請求項１〜４のいずれかに記載のビーム部材。
【請求項６】
前記ビーム本体部の外側の側面に上部から下部に向けて間隔を徐変させた水平方向の複数の意匠線を形成したことを特徴とする請求項１〜５のいずれかに記載のビーム部材。
【発明の詳細な説明】
【技術分野】
【０００１】
本発明はトラックと乗用車等とが衝突事故を起こした場合に、乗用車等がトラックの下に潜り込むのを防止するためのアンダーランプロテクタに関し、特にアンダーランプロテクタ装置に用いるビーム部材に係る。
【背景技術】
【０００２】
例えば、乗用車がトラックの後部に追突したような場合に乗用車がトラックの車体の下に潜り込むと、重大な人身事故になりかねないので乗用車のバンパーに当接し、乗用車の潜り込みを防止したアンダーランプロテクタ装置が採用されている。
アンダーランプロテクタ装置は、乗用車のバンパー高さに合致するようにビーム部材がトラックの車体（車両）フレーム側に取り付けられている。
従って、ビーム部材には乗用車等と衝突した際の衝撃に耐えるだけの強度と衝撃吸収性が要求される。
例えば、特許文献１にはアルミニウム合金押出形材からなる略矩形断面のビーム部材を開示する。
しかし、同公報に開示するビーム部材は衝突側フランジ（車両外側に位置するビーム部材側面）にボルトの取付作業穴を形成することでビーム部材を車体側にボルト、ナットで締結したものである。
このために取付作業穴を設けることで、その分だけビーム部材の強度が低下するのみならず、この取付作業穴が外部から見え、外観見栄えに劣るものである。
また、取付作業穴を廃止するためにビーム全長にわたり、ナット挿入取付用のレールを設けたものも考えられるが、強度的に不要な部位に余肉が生じ軽量化に反するものである。
【先行技術文献】
【特許文献】
【０００３】
【特許文献１】特開２００８−２７３２７１号公報
【発明の概要】
【発明が解決しようとする課題】
【０００４】
本発明は、強度の向上を図るのに有効で軽量で外観意匠性に優れたアンダーランプロテクタ用ビーム部材の提供を目的とする。
【課題を解決するための手段】
【０００５】
本発明に係るビーム部材は、トラックの車両フレームに取り付けるアンダーランプロテクタ用のビーム部材であって、ビーム部材のビーム本体部はアルミ押出材で製作された上下の横壁と前後の縦壁とからなる中空断面形状からなり、ビーム本体部の内側にナットを配置するための固定具を有し、車両フレーム側の取付部からボルトを挿通し、前記ナットに螺合することでビーム部材を車両フレームに取り付け、前記ビーム本体部の端部に端末カバー部材が取り付けられていることを特徴とする。
ここで、固定具は当該固定具を取り付けた縦壁と対向する縦壁の内側に近接した突出部を有するのが好ましい。
なお、近接とは突出部の先端が縦壁の内側の近くまで突出している態様のみならず、内側の面に接している態様も含む。
この突出部は、縦壁の変形を防止する。
また、横壁と縦壁とのコーナー部にレール状の凹部が形成され、前記レール状の凹部を用いてビーム本体部の端部に端末カバー部材を取り付けてもよい。
ここで、アルミ押出材の強度アップ方法として、対向する前後の縦壁間を１つ以上の横リブで連結した複数の中空部を有する中空断面形状からなり、横リブと縦壁との連結部にレール状の凹部を形成してもよい。
レール状の凹部とは、押出材の押出方向に沿って形成した凹部をいい、ビスが螺入するビスホール形状を含む。
【０００６】
このようにビスホール等のレール状の凹部を有する中空断面形状からなるアルミ押出材を用いると、中空断面形状の内側の上下のレール状の凹部間に、ナットを有する固定具を挿入することでビーム本体の内側に固定具を配置することもできる。
【０００７】
本発明に係るビーム部材は、前記ビーム本体部の端部は下端部が斜めにカットされた略Ｌ字端面形状になっており、当該端部に略Ｌ字形状のカバー部材を取り付けてもよい。
このようにすると、押出材からなるビーム本体の端面開口部がカバー部材でふさがれるので外観見栄え向上するだけでなく、トラックの旋回時に車体がロールにより傾くが、ビーム本体の端部の下端側が斜めにカットされているので地面に擦れるのが抑えられる。
この場合に、カバー部材の下端斜辺部に突起部を形成してもよい。
このように突起部を形成すると、地面と擦れた場合に突起部が優先的に擦れ、擦れキズを小さく抑えることができる。
【０００８】
本発明に係るビーム部材にあっては、前記ビーム本体部の上面部に滑り止め手段を設けてもよい。
トラックにおいてビーム部材は、荷物を乗せたり降ろしたりする際に足を掛けるステップとして使われることがあるが、ビーム本体部の上面部に滑り止めの手段を設けると安全である。
滑り止め手段としては、押出材の上面に突起を形成する方法や滑り止めテープを貼り付ける方法等が例として挙げられる。
この場合に、ビーム本体部の上下面の一方は滑り止めの凹凸部を形成してあり、他方の面は平滑面に滑り止めテープを貼り付けることが可能になっており、上下反転自在に使用可能になっていてもよい。
【０００９】
本発明に係るビーム部材にあっては、前記ビーム本体部の外側の側面に上部から下部に向けて間隔を徐変させた水平方向の複数の意匠線を形成してもよい。
このようにすると、ビーム部材の外側の側面が仮に平面状にあっても意匠線の間隔に変化をもたせることで奥行き感に目の錯覚が生じ、立体的な外観見栄えを与えることができる。
【発明の効果】
【００１０】
本発明に係るビーム部材は、中空断面形状からなるビーム本体部の内側にナットを配置するための固定具を有するので、従来のようなボルトの取付作業孔が不要である。
また、中空断面形状からなるアルミ押出材の縦壁と横壁のコーナー部や横リブとの交差部にビスホール等のレール状の凹部を形成し、この凹部を用いてビーム本体の端末開口部をふさぐことができるだけでなく、この部位に凹部を配置したことにより、荷重負荷時に稜線が崩れにくくなり、軽量で高強度が得られる。
また、曲げ強度に対する断面係数が有効に向上する。
ビーム本体部の内側に配設した固定具により取付面の座面抜けや座屈変形を抑えることができ、突出部にて縦壁間の変形を防止し、全体としてビーム部材の軽量化を図ることができる。
【図面の簡単な説明】
【００１１】
【図１】ビーム部材をトラックの車両フレームにスティ部材を用いてボルト等の連結部材で取り付けた状態を示す。（ａ）はＬ字形状のスティ部材を用いた例を示し、（ｂ）は略三角形状のスティ部材を用いた例を示す。
【図２】ビーム本体部のビスホールを用いて固定具を挿入し、端部に端末カバー部材を取り付ける例を示す。（ａ）は組立前、（ｂ）は組立後を示す。
【図３】ビーム本体部の断面形状例を示す。
【図４】ビーム本体部の内側に固定具を挿入する例を示し、（ａ）は挿入前、（ｂ）は挿入後の断面図を示す。（ｃ）は固定具のプレート側から見た図を示し、（ｄ）は固定具をナット側から見た図を示す。
【図５】（ａ）は固定具をビーム本体部にリベット止めする説明図を示し、（ｂ）はリベット止めした断面図を示す。
【図６】固定具にバルクヘッド部を設けた例を示し、（ａ）はビーム部材の全体図、（ｂ）は端部から挿入する説明図を示す。
【図７】固定具の配置図を示し、（ａ）はビーム本体部の裏面図、（ｂ）は斜視図を示し、（ｃ）は単品図を示す。
【図８】固定具の他の実施例を示す。
【図９】（ａ）はビーム本体部の端部側外観図を示す。（ｂ）はビーム本体部の上面部、（ｃ）は側面部の部分拡大図を示す。
【図１０】ビーム本体の端部の他の実施例を示す。
【図１１】端末カバー部材を示し、（ａ）は外側斜視図、（ｂ）は内側斜視図を示す。
【図１２】（ａ）はビーム本体部の上面に条状の凸部を形成してあり、（ｂ）はビーム本体部の平滑な下面が上面になるように反転させた例である。
【図１３】ビーム本体部の平滑面に滑り止めテープを貼り付けた例を示す。
【図１４】ビーム本体部の断面形状として日字断面形状を採用し、ビスホールの無い例を示す。（ａ）は端末カバー部材側から見た斜視図、（ｂ）は内側から見た斜視図を示す。
【図１５】ビーム部材を車両フレームに取り付けた状態の側面視を示す。
【図１６】車両フレームに取り付ける前のビーム部材を示す。
【図１７】ビーム本体部に固定具及び端末カバー部材を組み込む構造例を示す。（ａ）は端末カバー部材側から見た斜視図、（ｂ）は内側から見た斜視図を示す。
【図１８】（ａ），（ｂ）は端末部の拡大図を示す。
【図１９】取付断面構造例を示す。（ａ）はビーム本体部、（ｂ）は端末カバー部材の連結構造を示す。
【発明を実施するための形態】
【００１２】
本発明に係るアンダーランプロテクタ用ビーム部材の構造例を以下図面に基づいて説明する。
ビーム部材１０は図１に示すように、トラックの後部又は前部の車両フレーム１〜３にスティ部材４，５を用いて車両幅方向、略水平に取り付ける。
図１（ａ）は側面視で略Ｌ字形状のスティ部材４の上部側を車両フレーム１，２の側面にボルト等で固定し、下部側をボルト等の連結部材４ａを用いて図２に示すようにビーム本体部１１の内側に配設したナットを有する固定具１２と締結連結する。
図１（ａ）の略Ｌ字形状型スティ部材４は、アルミ押出材の中空断面形状からなる斜め上下方向の部材と同じくアルミ押出材中空断面形状からなる水平方向の部材を嵌合連結した例である。
図１（ｂ）に示すスティ部材５は、略三角形状の中空断面形状からなるアルミ押出材を短尺に切断して製作した例を示し、車両フレーム１の下面にビーム部材１０をボルト等の連結部材５ａを用いて固定取り付けした例である。
本発明に係るビーム部材１０は、これらの取付方法に限定されずボルト等で車両フレームに直接固定する場合も含まれる。
【００１３】
ビーム部材１０は、アルミニウム合金のアルミ押出材からなるビーム本体部１１と、内側に挿入するナット１２ａ付の固定具１２及び端末カバー部材１３からなる。
図３にビーム本体部１１の断面形状例を示す。
上下の横壁１１ａ，１１ａを前後方向の一対の縦壁１１ｂでつないだ矩形形状の中空断面形状からなる。
矩形中空断面形状であれば口字形状、日字形状、目字形状等中空形状に制限はないが、本実施例は縦壁１１ｂ間の中央部を１本の横リブ１１ｃでつないだ断面形状例を示す。
横壁１１ａと縦壁１１ｂとのコーナー部にレール状の凹部の例として、ビスホール１１ｄを形成し、本実施例では上下のビスホールの間に固定具１２を引掛け挿入すべく、スティ部材との連結側であって、縦壁１１ｂと横リブ１１ｃの交差部にもビスホール１１ｄを設けてある。
【００１４】
固定具１２は図４に示すようにナット１２ａを溶接等にて取り付けてあり、図４（ｃ）はスティ部材との締結側から見た状態、図４（ｄ）はナット１２ａの取付側から見た状態の固定具１２の外観図を示す。
本実施例に示した固定具１２はプレート状であり、図４（ｂ）に断面を示すように上下のビスホール１１ｄ，１１ｄの間に挿入する。
ビーム本体部１１の内側の所定位置に固定具１２を取り付けるために、固定具１２には位置決め用の切欠部１２ｃとリベット止め孔１２ｂを設けてある。
図５（ａ）に示すようにビーム本体１１の位置決め孔１１ｇにピン３０を差し込み、固定具１２の切欠部１２ｃが当接するまで固定具を挿入し、リベット孔１１ｆを介してリベット２１にて固定具１２をビーム本体部１１に固定する。
リベット止めした状態を図５（ｂ）に示す。
ビーム部材１０は図１に示すようにスティ部材４，５側からボルト等の連結部材４ａ，５ａを挿入し、ボルト等の先端をビーム本体１１の固定孔１１ｅを経由し、固定具１２のナット部１２ａに螺合させ連結する。
【００１５】
図６，７にバルクヘッド部１１２ａを形成した固定具１１２の例を示す。
固定具１１２は、両側のナット１２ａの取付面１１２ｂ，１１２ｃから略Ｕ字形状に折り曲げて中央部を突出させたバルクヘッド部１１２ａを形成した例になっている。
一方のナットの取付面１１２ｂの上下の端部をビーム本体１１の上下のビスホールの沿って内側に挿入し、所定の位置にリベットにて固定する。
その状態を図７（ｂ）に示す。
なお、バルクヘッド部の形成方法は、この固定具１１２に限定されず、例えば図８に示すように突出部の内側にナット１２ａが位置するようにバルクヘッド部を形成した固定具２１２でもよい。
【００１６】
次に、端末カバー部材１３の構造例を説明する。
図２に示すようにビーム本体部１１の端末部の下端側を斜めにカットし、この端面形状開口部をふさぐように側面視で略Ｌ字形状の端末カバー部材１３に形成してある。
端末カバー部材１３は垂直辺部１３ａと下部側が斜辺部１３ｂとからなり、斜辺部１３ｂには突起部１３ｃを形成してある。
また、ビスホール１１ｄの位置に合せてビス孔１３ｄを設け、ビス等の締結部材２２にてビーム本体部１１の端末に固定してある。
なお、ビーム本体部１１の端面形状及び端末カバー部材の形状は、これに限定されるものではなく、図１０，１１に示すようにビーム本体部１１の端面は垂直端面形状であって、端末カバー部材１１３のみが垂直辺部１１３ａと斜辺部１１３ｂに形成され、斜辺部１１３ｂに突起部１１３ｃを形成してもよい。
【００１７】
図９にビーム本体部１１の外観図を示す。
ビーム本体部１１の上面部には図９（ｂ）に示すように、突条状の突起部１１ｈを形成し、ステップとして使用時の滑り止めとなっている。
ビーム本体部１１の外側の側面には意匠線として横方向に複数のノッチ１１ｉを形成し、上部のノッチ間隔ｄ１に対して下側に行く程度ノッチ間隔ｄｎが小さくなっている。
これにより、ビーム本体部１１の側面が立体的に感じる。
また、ビーム本体部は図１２，１３に示すように反転させて、平滑面１１ｊが上面になるようにステイ部材に取り付け、平滑面１１ｊに滑り止め用のテープ１１ｋを貼り付けてもよい。
【００１８】
次にビーム本体部１１ａの断面にビスホールを設けないビーム部材１０Ａの例を説明する。
図１４及び図１７に示すようにビーム本体部１１Ａは、上下の横壁１１Ａの前後方向の端部を一対の縦壁１１Ｃでつなぎ、縦壁１１Ｃの中央部を中リブ１１Ｅでつないだ日字形状であり、本実施例はレール状の凹部（ビスホール）を有しない例である。
本実施例では、図１７及び図１８に示すようにアルミ押出形材で形成した固定具１２Ａの例である。
固定具１２Ａは、ナット１２Ｆを挿入保持する断面略コ字形状のナット挿入レール部１２Ｄを有し、このナット保持部から略Ｌ字状に対向する縦壁１１Ｃの内側の側面に近接させた突出部１１２Ａを有する。
突出部１１２Ａは、中空部１２Ｅを２つ有する略日字形状になっている。
それぞれのビーム本体部の中空部１１Ｄに対応して、固定具１２Ａをビーム本体部１１Ａの断面開口端部から挿入し、図１７に示すようにビーム本体部１１Ａの裏面からリベット２１Ａを取付孔１１Ｇを介して固定具１２Ａの締結孔１２Ｃに挿入、リベット締めする。
次に車両フレーム側の取付部材であるステイ部材５からボルトからなる連結部材５ａを取付孔１１Ｆに挿入し、さらにボルトの先を固定具１２Ａのボルト孔１２Ｂを介してナット１２Ｆにボルト締めする。
その断面構造を図１９（ａ）に示す。
【００１９】
本実施例における端末カバー部材１３Ａは、垂直部１３Ｂの下側が内側に向けてＬ字状になった斜面部１３Ｃを有し、ビーム本体部１１ＡのＬカット端部に固定片１３Ｅを挿入し、側面のリベット孔１１Ｈ，１３Ｆにリベット２２Ａを挿入し、リベット締めした例になっている。
その連結構造を図１９（ｂ）に示す。
また、端末カバー部材１３Ａの下端側には水抜き孔１３Ｄが形成されている。
【符号の説明】
【００２０】
１      車両フレーム
４      スティ部材
４ａ    連結部材
５      スティ部材
５ａ    連結部材
１０    ビーム部材
１１    ビーム本体部
１２    固定具
１３    端末カバー部材
【図１】
2015044572.tif 000003
【図２】
2015044572.tif 000004
【図３】
2015044572.tif 000005
【図４】
2015044572.tif 000006
【図５】
2015044572.tif 000007
【図６】
2015044572.tif 000008
【図７】
2015044572.tif 000009
【図８】
2015044572.tif 000010
【図９】
2015044572.tif 000011
【図１０】
2015044572.tif 000012
【図１１】
2015044572.tif 000013
【図１２】
2015044572.tif 000014
【図１３】
2015044572.tif 000015
【図１４】
2015044572.tif 000016
【図１５】
2015044572.tif 000017
【図１６】
2015044572.tif 000018
【図１７】
2015044572.tif 000019
【図１８】
2015044572.tif 000020
【図１９】
2015044572.tif 000021